(57)【要約】【課題】底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部とを有する包装箱において、内箱部の背面部上方に極めて簡単な操作で広告表示体を形成できる包装箱を提供する。【解決手段】内箱部Ａ１における背面部４０は、背面部本体４２と、背面部本体４２の内側に形成され、背面部本体４２から水平方向の折れ線Ｃ４４ａ、Ｃ４４ｂを介して連設され、切目線Ｋ４４を介して背面部本体４２と区画された表示部４４とを有し、切目線Ｋ４４を破断して表示部４４を外側に回動させ突出部４２−１、４２−２に係止する。【選択図】図３
0003175414.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側背面部が、一対の内側側面部と底面部に隣接して形成された背面部本体で、上端から切欠部又は切込みを形成することにより表示部を係止するための突出部を有する背面部本体と、背面部本体の内側に背面部本体から水平方向の第１折れ線を介して連設されるとともに、該第１折れ線の端部から連設された第３切目線を介して背面部本体と区画された表示部で、少なくとも該第１折れ線の下方に領域を有し、第１折れ線と表示部の下端との間の上下方向の長さが第１折れ線と背面部本体の上端との間の上下方向の長さよりも長く形成されている表示部とを有し、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線を破断して、表示部を第１折れ線を中心に外側に回動させ、表示部を背面部本体に対して折り返した状態で背面部本体の突出部に係止することにより、表示部が背面部本体の上端から突出した状態となることを特徴とする包装箱。
【請求項２】
第１折れ線が、左右一対の折れ線である第２折れ線と第３折れ線により形成され、表示部における第２折れ線と第３折れ線間の辺部の上方には背面部本体が形成されておらず、第３切目線は、第２折れ線の外側の端部と第３折れ線の外側の端部間に形成されていることを特徴とする請求項１に記載の包装箱。
【請求項３】
第３切目線における第１折れ線と接する部分である第３切目線の両側の端部分は、第１折れ線と略直角をなすことを特徴とする請求項１又は２に記載の包装箱。
【請求項４】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側背面部が、背面部本体と表示部とを有し、
背面部本体が、一対の内側側面部と底面部に隣接して形成されていて、背面部本体が、上端から形成された切欠部で、表示部を配置するための下側領域と、表示部の上辺よりも上側に形成された上側領域とを有する切欠部を有し、上側領域を挟んで内側に突出する一対の突状部を有するとともに、上端から切欠部又は切込みを形成することにより表示部を係止するための突出部を有し、
表示部が、背面部本体の該切欠部内に一対の突状部の下端から水平方向の一対の第１折れ線を介して連設されるとともに、各第１折れ線の外側の端部から連設された第３切目線を介して背面部本体と区画されて形成され、少なくとも該第１折れ線の下方に領域を有し、第１折れ線と表示部の下端との間の上下方向の長さが第１折れ線と背面部本体の上端との間の上下方向の長さよりも長く形成され、第３切目線における第１折れ線と接する部分である第３切目線の両側の端部分は、第１折れ線と略直角となるように形成され、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線を破断して、表示部を第１折れ線を中心に外側に回動させ、表示部を背面部本体に対して折り返した状態で背面部本体の突出部に係止することにより、表示部が背面部本体の上端から突出した状態となることを特徴とする包装箱。
【請求項５】
第１切目線と第３切目線とが、ミシン目状の切込みにより形成され、第２切目線が、ミシン目状の切込み又は連続して形成された切込みにより形成されていることを特徴とする請求項１又は２又は３又は４に記載の包装箱。
【請求項６】
表示部には、内箱部に収納された被収納物の広告が表示されていることを特徴とする請求項１又は２又は３又は４又は５に記載の包装箱。
【請求項７】
底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする請求項１又は２又は３又は４又は５又は６に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、商品を展示するための箱体の背面に広告用の表示体を差し込んで取り付けるものが存在する。
【０００３】
例えば、特許文献１の包装箱においては、包装箱の前面壁のみならず、側面壁およびこれらの壁に連なる前方蓋フラップおよび側方蓋フラップまでを一体的に切り離し、この切り離された板材を折り畳むと共に前記側方蓋フラップ同士を連結して広告用の表示体となし、これを包装箱の後方蓋フラップに差し込んで取り付ける構成となっている。
【０００４】
また、特許文献２の瓶体等の展示兼用輸送箱においては、外装箱内の両側端に対面して配設した補強パネルのうち、上パネルを外して、下パネルのスリットに嵌合して、このパネルの上方に配置し、製品の品質や特徴または購買欲を促す広告等を印刷したいわゆるアテンションパネルとして機能させる。
【０００５】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献３に示す先行技術文献についての出願を行っている。
【先行技術文献】
【特許文献】
【０００６】
【特許文献１】実公平７−４７３０９号公報
【特許文献２】実公平７−５２０１１号公報
【特許文献３】実用新案登録第３１３９９４８号公報
【考案の概要】
【考案が解決しようとする課題】
【０００７】
しかし、上記特許文献１の構成では、包装箱の前面壁のみならず、側面壁およびこれらの壁に連なる前方蓋フラップおよび側方蓋フラップまでを一体的に切り離し、この切り離された板材を折り畳むと共に前記側方蓋フラップ同士を連結して広告用の表示体を形成する操作が必要であり、また、該広告用の表示体を後方蓋フラップに差し込む操作が必要であり、展示用の箱体の背面部の上方に広告表示体を形成するのに面倒な操作が必要となる。
【０００８】
また、特許文献２の構成においても、上パネルを外して、下パネルのスリットに嵌合する操作が必要であり、展示用の箱体の背面部の上方に広告表示体を形成するのに面倒な操作が必要となる。
【０００９】
また、特許文献３に示す包装箱において、内箱部の背面部の上方に極めて簡単な操作で広告表示体を形成することができるものが要望されていた。
【００１０】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部の背面部の上方に極めて簡単な操作で広告表示体を形成することができる包装箱を提供することである。
【課題を解決するための手段】
【００１１】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側背面部が、一対の内側側面部と底面部に隣接して形成された背面部本体で、上端から切欠部又は切込みを形成することにより表示部を係止するための突出部を有する背面部本体と、背面部本体の内側に背面部本体から水平方向の第１折れ線を介して連設されるとともに、該第１折れ線の端部から連設された第３切目線を介して背面部本体と区画された表示部で、少なくとも該第１折れ線の下方に領域を有し、第１折れ線と表示部の下端との間の上下方向の長さが第１折れ線と背面部本体の上端との間の上下方向の長さよりも長く形成されている表示部とを有し、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線を破断して、表示部を第１折れ線を中心に外側に回動させ、表示部を背面部本体に対して折り返した状態で背面部本体の突出部に係止することにより、表示部が背面部本体の上端から突出した状態となることを特徴とする。
【００１２】
第１の構成の包装箱によれば、第３切目線を破断して表示部を上方に回動させて突出部に係止させるのみで背面部本体の上方に広告表示体を形成することができるので、極めて簡単な操作で内箱部の背面部の上方に広告表示体を形成することができる。
【００１３】
また、第２には、上記第１の構成において、第１折れ線が、左右一対の折れ線である第２折れ線と第３折れ線により形成され、表示部における第２折れ線と第３折れ線間の辺部の上方には背面部本体が形成されておらず、第３切目線は、第２折れ線の外側の端部と第３折れ線の外側の端部間に形成されていることを特徴とする。
【００１４】
よって、表示部と背面部本体間の第１折れ線の長さが短くなるので、表示部を背面部本体に対して容易に折り返した状態とすることができる。
【００１５】
また、第３には、上記第１又は第２の構成において、第３切目線における第１折れ線と接する部分である第３切目線の両側の端部分は、第１折れ線と略直角をなすことを特徴とする。よって、第３切目線を破断した際に第１折れ線が破れるのを防止することができる。
【００１６】
また、第４には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側背面部が、背面部本体と表示部とを有し、背面部本体が、一対の内側側面部と底面部に隣接して形成されていて、背面部本体が、上端から形成された切欠部で、表示部を配置するための下側領域と、表示部の上辺よりも上側に形成された上側領域とを有する切欠部を有し、上側領域を挟んで内側に突出する一対の突状部を有するとともに、上端から切欠部又は切込みを形成することにより表示部を係止するための突出部を有し、表示部が、背面部本体の該切欠部内に一対の突状部の下端から水平方向の一対の第１折れ線を介して連設されるとともに、各第１折れ線の外側の端部から連設された第３切目線を介して背面部本体と区画されて形成され、少なくとも該第１折れ線の下方に領域を有し、第１折れ線と表示部の下端との間の上下方向の長さが第１折れ線と背面部本体の上端との間の上下方向の長さよりも長く形成され、第３切目線における第１折れ線と接する部分である第３切目線の両側の端部分は、第１折れ線と略直角となるように形成され、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線を破断して、表示部を第１折れ線を中心に外側に回動させ、表示部を背面部本体に対して折り返した状態で背面部本体の突出部に係止することにより、表示部が背面部本体の上端から突出した状態となることを特徴とする。
【００１７】
第４の構成の包装箱によれば、第３切目線を破断して表示部を上方に回動させて突出部に係止させるのみで背面部本体の上方に広告表示体を形成することができるので、極めて簡単な操作で内箱部の背面部の上方に広告表示体を形成することができる。
【００１８】
また、表示部は、一対の突状部の下端から水平方向の一対の第１折れ線を介して連設されているので、表示部と背面部本体間の第１折れ線の長さが短くなり、表示部を背面部本体に対して容易に折り返した状態とすることができる。
【００１９】
また、第３切目線の両側の端部分は、第１折れ線と略直角となるように形成されているので、第３切目線を破断した際に第１折れ線が破れるのを防止することができる。
【００２０】
また、第５には、上記第１から第４までのいずれかの構成において、第１切目線と第３切目線とが、ミシン目状の切込みにより形成され、第２切目線が、ミシン目状の切込み又は連続して形成された切込みにより形成されていることを特徴とする。
【００２１】
また、第６には、上記第１から第５までのいずれかの構成において、表示部には、内箱部に収納された被収納物の広告が表示されていることを特徴とする。
【００２２】
また、第７には、上記第１から第６までのいずれかの構成において、底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする。
【考案の効果】
【００２３】
本考案に基づく包装箱によれば、第３切目線を破断して表示部を上方に回動させて突出部に係止させるのみで背面部本体の上方に広告表示体を形成することができるので、極めて簡単な操作で内箱部の背面部の上方に広告表示体を形成することができる。
【図面の簡単な説明】
【００２４】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく右側面図であり、特に、片部１２２と分離部２４の位置関係を説明する図である。
【図５】本考案の実施例に基づく包装箱の底面図である。
【図６】内箱部の展開図である。
【図７】図５の要部拡大図である。
【図８】外箱部の展開図である。
【図９】包装箱を折り畳んだ状態を示す平面図である。
【図１０】包装箱を折り畳んだ際の内箱部の折り畳み状態を示す平面図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【図１６】包装箱の使用状態を示す斜視図である。
【図１７】包装箱の使用状態を示す斜視図であり、被収納物を省略して表した図である。
【図１８】包装箱の使用状態を示す斜視図である。
【考案を実施するための形態】
【００２５】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部の背面部の上方に極めて簡単な操作で広告表示体を形成することができる包装箱を提供するという目的を以下のようにして実現した。
【００２６】
本考案に基づく包装箱Ａは、図１〜図８等に示すように構成され、内箱部Ａ１と、外箱部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図６、図８に示す円内に示す方向である。
【００２７】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４９とを有していて、その展開状態は、図６に示すように形成されている。
【００２８】
ここで、正面部１０は、方形状を呈している。具体的には、正面部１０は、横長長方形状を呈している。
【００２９】
また、側面部２０は、正面部１０の正面視における右側の端部から折れ線を介して連設され、方形状における上側の一部を切り欠いた形状を呈し、側面部２０の上辺は、正面部１０の上辺１０ａから連続して水平方向に形成された直線状の辺部２０ａと、辺部２０ａの背面側の端部から連設され、背面側に上方に傾斜して形成された直線状の辺部２０ｂと、辺部２０ｂの上端から背面側に向けて円弧状に形成された辺部２０ｃと、辺部２０ｃの背面側の端部から水平方向に形成された直線状の辺部２０ｄとを有している。この辺部２０ｄは、背面部４０の上端の縁部の高さと同じに形成されている。この側面部２０は、本体部（内側側面部本体部）２２と、分離部２４とを有している。
【００３０】
また、分離部２４は、側面部２０の下端から形成された切目線（第１切目線）２４ａにより区画された領域であり、切目線２４ａは、垂直方向の一対のミシン目状の切目線２４ａ−１、２４ａ−２と該一対のミシン目の上端をつなぐ円弧状の切込みからなる切目線２４ａ−３とにより形成されている。つまり、側面部２０の下辺と切目線２４ａにより囲まれた領域が分離部２４となる。本体部２２は、側面部２０において分離部２４を除いた領域である。ここで、ミシン目状の切目線とは、間隔をおきながら連続して形成された複数の切込みをいう（他においても同じ）。
【００３１】
この分離部２４の形成位置は、外箱部Ａ２の片部１２２の裏側の領域であり、分離部２４は片部１２２の裏側に接着され、片部１２２の下端を外側かつ上方に回動させることにより、分離部２４も片部１２２の裏側に接着したまま切目線２４ａが破断されて、分離部２４が本体部２２から分離するように形成されている。分離部２４は、図４に示すように、片部１２２よりも小さく形成されていて、分離部２４の外形が片部１２２の外形よりもはみだすことがない。
【００３２】
また、側面部３０は、正面部１０の正面視における左側の端部から折れ線を介して連設され、方形状における上側の一部を切り欠いた形状を呈し、背面側の端部においては、背面部４０の上端の縁部の高さと同じに形成されている。この側面部３０は、本体部（内側側面部本体部）３２と、分離部３４とを有している。
【００３３】
この側面部３０の構成は、内箱部Ａ１の組立て状態では、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。なお、分離部３４は、側面部３０の下端から形成された切目線（第１切目線）３４ａにより区画された領域であり、切目線３４ａは、垂直方向の一対のミシン目状の切目線３４ａ−１、３４ａ−２と該一対のミシン目の上端をつなぐ円弧状の切込みからなる切目線３４ａ−３とにより形成されている。
【００３４】
この分離部３４の形成位置は、外箱部Ａ２の片部１３２の裏側の領域であり、分離部３４は片部１３２の裏側に接着され、片部１３２の下端を外側かつ上方に回動させることにより、分離部３４も片部１３２の裏側に接着したまま切目線３４ａが破断されて、分離部３４が本体部３２から分離するように形成されている。分離部３４は、片部１３２よりも小さく形成されていて、分離部３４の外形が片部１３２の外形よりもはみだすことがない。
【００３５】
また、背面部４０は、側面部３０の左側面視における左端から折れ線を介して連設され、全体には略凹状を呈している。すなわち、背面部４０は、上端に略方形状の切欠部を有した方形状を呈している。この背面部４０の横幅は、正面部１０の横幅と同一に形成され、背面部４０の縦幅（最大縦幅）は、側面部２０、３０の縦幅（最大縦幅）と同一に形成されている。
【００３６】
背面部４０は、背面部本体４２と、背面部本体４２の内側に設けられた表示部（「折返し部」としてもよい）４４とを有している。
【００３７】
背面部本体４２は、側面部３０、糊代部４９及び第３片部８０と折れ線を介して連設されていて、上端から上側領域Ｋ４０と表示部４４の領域（下側領域）とを連ねた形状・大きさの切欠部が設けられるとともに、両側に切欠部４６と切欠部４８が設けられている。つまり、背面部本体４２には、上端から形成された切欠部で、表示部を配置するための下側領域と、表示部の上辺よりも上側に形成された上側領域Ｋ４０とを有する切欠部が形成されている。上側領域Ｋ４０は、表示部４４の領域の上側に連設され、その形状は、方形状（長方形状）における上端が上側にいくほど幅広となる円弧状に形成されている。
【００３８】
また、切欠部４６は、屈曲した溝状に形成され、鉛直方向（背面部４０の下辺Ｃ４０と直角な方向）に形成され、互いに平行な直線状の辺部により形成された第１溝部４６ａと、第１溝部４６ａの下端から連設して下方に行くほど背面部４０の外側に傾斜して形成され、互いに平行な直線状の辺部により形成された第２溝部４６ｂと、第２溝部４６ｂの下端から連設して鉛直方向に形成され、互いに平行な直線状の辺部により形成された第３溝部４６ｃとから形成されている。つまり、第３溝部４６ｃは、第１溝部４６ａよりも外側にずれて形成されている。これにより、第１溝部４６ａと第２溝部４６ｂの外側には、背面部４０の内側に向けて突出する突出部４２−１が形成されている。なお、切欠部４６は、表示部４４を上方に折り返した際に、突出部４２−１が表示部４４に係止する位置に形成されている。
【００３９】
また、切欠部４８は、切欠部４６に対して線対称に形成され、背面部本体４２において切欠部４６の対称位置に形成されている。この切欠部４８は、切欠部４６と同様に溝状に形成され、第１溝部４８ａと第２溝部４８ｂと第３溝部４８ｃとを有していて、第１溝部４８ａと第２溝部４８ｂの外側には、背面部４０の内側に向けて突出する突出部４２−２が形成されている。第１溝部４８ａは第１溝部４６ａと線対称である以外は同じ構成であり、第２溝部４８ｂは第２溝部４６ｂと線対称である以外は同じ構成であり、第３溝部４８ｃは第３溝部４６ｃと線対称である以外は同じ構成であるので、詳しい説明を省略する。なお、切欠部４８は、表示部４４を上方に折り返した際に、突出部４２−２が表示部４４に係止する位置に形成されている。
【００４０】
なお、突出部４２−１を切欠部４６により形成し、突出部４２−２を切欠部４８により形成したが、切欠部４６、４８の代わりに切込みを形成することにより、突出部４２−１、４２−２を形成してもよい。具体的には、背面部本体４２の上端から鉛直方向の第１切込みと第２切込みの下端から連設された下方に向けて外側に傾斜した第２切込みと第２切込みの下端から連設された鉛直方向の第３切込みにより左右一対の切込みを形成して、それらの切込みにより突出部を形成するのである。
【００４１】
なお、背面部本体４２自体の形状としては、横長の基端部４２ａと、基端部４２ａの両側から上方に立設した突状部４２ｂ、４２ｃと、突状部４２ｂの上端領域から内側に突出した突状部４２ｄと、突状部４２ｃの上端領域から内側に突出した突状部４２ｅとを有した形状となっている。つまり、一対の突状部４２ｄ、４２ｅは、上側領域Ｋ４０を挟んで内側に突出して形成されている。
【００４２】
また、表示部４４は、背面部本体４２から折れ線Ｃ４４ａ、Ｃ４４ｂを介して連設され、背面部本体４２の内側に形成されている。表示部４４と背面部本体４２間には、折れ線Ｃ４４ａ、Ｃ４４ｂと切目線（第３切目線）Ｋ４４が形成されている。つまり、表示部４４は、折れ線Ｃ４４ａ、Ｃ４４ｂと切目線Ｋ４４を介して背面部本体４２と区画されている。
【００４３】
折れ線Ｃ４４ａは、突状部４２ｄの下端に形成され、水平方向（背面部４０の下辺Ｃ４０と平行な方向）に形成され、また、折れ線Ｃ４４ｂは、突状部４２ｅの下端に形成され、水平方向（背面部４０の下辺Ｃ４０と平行な方向）に形成されている。折れ線Ｃ４４ａと折れ線Ｃ４４ｂとは、同一直線上に形成され、また、表示部４４における折れ線Ｃ４４ａ折れ線Ｃ４４ｂ間の水平方向の辺部４４ａの延長線上に形成されている。折れ線Ｃ４４ａ、Ｃ４４ｂには、該折れ線を折曲しやすいように直線状の切込みが形成されている。折れ線Ｃ４４ａ、Ｃ４４ｂは、背面部本体４２から表示部４４が連設される第１折れ線であり、折れ線Ｃ４４ａ、Ｃ４４ｂにおける一方が第２折れ線に当たり、他方が第３折れ線に当たる。
【００４４】
また、切目線Ｋ４４は、全体に略Ｕ字状を呈している。すなわち、切目線Ｋ４４は、折れ線Ｃ４４ａの外側の端部（右側面側の端部）から上方に形成された切目線Ｋ４４ａと、切目線Ｋ４４ａの上端から外側に湾曲して下方向に向かう略円弧状の切目線Ｋ４４ｂと、切目線Ｋ４４ｂの切目線Ｋ４４ａと反対側の端部から鉛直方向に連設された直線状の切目線Ｋ４４ｃと、切目線Ｋ４４ｃの下端から連設された略半円状の切目線Ｋ４４ｄと、切目線Ｋ４４ｄの内側の端部から連設され水平方向に形成された直線状の切目線Ｋ４４ｅと、切目線Ｋ４４ｅの切目線Ｋ４４ｄと反対側の端部（左側面側の端部）から連設された略円弧状の切目線Ｋ４４ｆと、切目線Ｋ４４ｆの上端から鉛直方向に連設された直線状の切目線Ｋ４４ｇと、切目線Ｋ４４ｇの上端から連設され、内側に湾曲して形成された略円弧状の切目線Ｋ４４ｈと、切目線Ｋ４４ｈの内側の端部から下方に形成された切目線Ｋ４４ｉとから形成されている。切目線Ｋ４４ｉの下端は、折れ線Ｃ４４ｂの外側の端部（左側面側の端部）に接している。切目線Ｋ４４は、左右対称に形成されている。なお、切目線Ｋ４４を構成する各切目線は、ミシン目状の切目線又は連続して形成された１本の切目線により形成されている。
【００４５】
以上のようにして、表示部４４は、辺部４４ａと、折れ線Ｃ４４ａ、Ｃ４４ｂと一致する辺部と、切目線Ｋ４４と一致する辺部とで囲まれた形状を呈している。なお、切目線Ｋ４４の端部、すなわち、切目線Ｋ４４ａと切目線Ｋ４４ｉは、折れ線Ｃ４４ａ、Ｃ４４ｂと直角をなし（略直角としてもよい）、切目線Ｋ４４を破断した際に折れ線Ｃ４４ａ、Ｃ４４ｂが破れるのを防止することができる。つまり、仮に、切目線Ｋ４４の端部が折れ線Ｃ４４ａや折れ線Ｃ４４ｂの延長線上にある場合には、切目線Ｋ４４を破断した際に、切目線Ｋ４４の端部を破断する力が折れ線Ｃ４４ａ、Ｃ４４ｂに直接伝わってしまい、折れ線Ｃ４４ａ、Ｃ４４ｂが破断する可能性があるが、本実施例においては、切目線Ｋ４４ａと折れ線Ｃ４４ａとが直角をなし、切目線Ｋ４４ｉと折れ線Ｃ４４ｂとが直角をなすので、切目線Ｋ４４ａを破断する力が折れ線Ｃ４４ａに直接伝わらず、切目線Ｋ４４ｉを破断する力が折れ線Ｃ４４ｂに直接伝わらないので、切目線Ｋ４４を破断した際に折れ線Ｃ４４ａ、Ｃ４４ｂが破れるのを防止することができる。切目線Ｋ４４ａ、Ｋ４４ｉは、「第３切目線における第１折れ線と接する部分である第３切目線の両側の端部分」に当たる。
【００４６】
なお、本実施例では、切目線Ｋ４４の端部は、切目線Ｋ４４ａ、Ｋ４４ｂ、Ｋ４４ｈ、Ｋ４４ｉのように上方から回り込んだ形状となっているが、下側から折れ線Ｃ４４ａ、Ｃ４４ｂに直角に接する（略直角に接するとしてもよい）ようにしてもよい。
【００４７】
また、切目線Ｋ４４ｃの左右方向の位置は、突出部４２−１の内側の端部よりも外側にあり、これにより、表示部４４を上方に折り返した際に切目線Ｋ４４ｃに沿った辺部が突出部４２−１に係止可能であり、また、切目線Ｋ４４ｇの左右方向の位置は、突出部４２−２の内側の端部よりも外側にあり、これにより、表示部４４を上方に折り返した際に切目線Ｋ４４ｇに沿った辺部が突出部４２−２に係止可能である。
【００４８】
また、表示部４４の上下方向の長さ（具体的には、折れ線Ｃ４４ａ、Ｃ４４ｂと切目線Ｋ４４ｅ間の上下方向の長さ）ｈ１は、折れ線Ｃ４４ａ、Ｃ４４ｂと背面部本体４２の上端との間の長さｈ２よりも長く形成され、これにより、表示部４４を上方に折り返した際に、表示部４４が背面部本体４２の上端よりも上方に突出するようになっている。
【００４９】
表示部４４の辺部４４ａの上側には、切欠部Ｋ４０が形成されていて、その分、表示部４４と背面部本体４２間の折れ線の長さが短くなるので、表示部４４を背面部本体４２に対して容易に折り返した状態とすることができる。
【００５０】
表示部４４の外側の面には、予め商品の広告等の表示内容を印刷しておく。つまり、表示部４４を広告表示領域として用いる。なお、内箱部Ａ１の展開状態において、表示部４４の外側の面は、内箱部Ａ１の外側の面と同じ面となるので、内箱部Ａ１の表示部４４以外の領域と同時に表示部４４に印刷を行なうことができる。表示部４４への印刷に際しては、表示部４４を折り返して突出部４２−１、４２−２に係止させた状態では上下逆となるので、上下逆にして印刷を行なう必要がある。なお、被収納物を陳列する際に、広告内容を表示部４４に貼るようにしてもよい。
【００５１】
なお、糊代部４９には、側面部２０が接着されるので、背面部本体４２は、側面部２０と連設されている（つまり、糊代部４９を介して連設されている）といえ、結果として、背面部本体４２は、側面部２０、３０及び第３片部８０と連設されているといえる。また、背面部本体４２は、側面部２０、３０及び第３片部８０と隣り合って形成されている。
【００５２】
なお、内箱部Ａ１を陳列状態にして表示部４４を組み立てる前の状態、例えば、包装箱Ａを箱状に組み立てた状態（図１の状態）や包装箱Ａの包装状態（図１２の状態）においては、背面部４０は全体で１つの平板状を呈し、同一の平面をなしている。内箱部Ａ１を陳列状態にして背面部４０を組み立てた状態は、図１６〜図１８に示す状態である。
【００５３】
また、糊代部４９は、背面部４０の背面視における左端から折れ線を介して連設され、縦方向に細長の帯状台形形状を呈している。この糊代部４９は、その外側の面が側面部２０の内側の面に接着されている。
【００５４】
また、底面部５０は、第１片部６０と、第２片部７０と、第３片部８０と、第４片部９０とを有し、包装箱Ａの組立て状態においては、図５に示すように、略方形状の外形を呈している。
【００５５】
ここで、第１片部６０は、側面部３０下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。この第１片部６０の側面部３０との境界側には、分離部３４の下位置に分離部３４と略同幅の切欠部６０ａが形成されている。この切欠部６０ａは、片部１３２を回動させる際に、指を係止しやすくするために形成されている。
【００５６】
また、第２片部７０は、正面部１０の下端から折れ線を介して連設され、略長方形状に形成され、第２片部７０の上面の一部が内箱部Ａ１の内底面の一部を形成している。また、第２片部７０の角部（正面部１０と側面部２０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００５７】
また、第３片部８０は、背面部４０の下端から折れ線を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａ１の内底面の一部を形成している。また、第３片部８０の角部（背面部４０と側面部３０の境界位置の下端）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００５８】
また、第４片部９０は、側面部２０の下端から折れ線を介して連設され、先端側にいくほど幅狭となる略台形形状に形成され、その上面の一部が内箱部Ａ１の内底面の一部を形成している。この第４片部９０の側面部２０との境界側には、分離部２４の下位置に分離部２４と略同幅の切欠部９０ａが形成されている。この切欠部９０ａは、片部１２２を回動させる際に、指を係止しやすくするために形成されている。
【００５９】
内箱部Ａ１を箱状に組み立てた状態（ただし、表示部４４の周囲の切目線Ｋ４４を破断して、表示部４４を上方に折り返す前の状態）正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせることにより、底面部５０を構成する各部がスリーブ状部５内に回動して、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００６０】
次に、外箱部Ａ２は、内箱部Ａ１を覆う箱体であり、図１〜図３、図８等に示すように、スリーブ状部（外側スリーブ状部）１０５と、上面部１６０、１７０、１８０、１９０とを有していて、その展開状態は、図８に示すように形成されている。
【００６１】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００６２】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００６３】
また、側面部１２０は、正面部１１０の正面視における右側の端部から折れ線Ｋ１２０を介して連設され、方形状を呈している。また、側面部１２０の下端からは、一対の略円弧状のミシン目状の切目線１２２ａ、１２２ｂが縦方向に互いに対向して形成され、切目線１２２ａ、１２２ｂの上端を結ぶ折れ線１２２ｃが形成されていて、側面部１２０の下辺と切目線１２２ａ、１２２ｂと折れ線１２２ｃにより囲まれた領域が片部１２２となる。つまり、片部１２２は、下端を外側に引き出すことにより切目線１２２ａ、１２２ｂが破断して折れ線１２２ｃを中心に側面部１２０の他の部分（つまり、側面部１２０における片部１２２以外の部分）に対して回動するようになっている。
【００６４】
なお、正面部１１０と側面部１２０の境界位置には、所定間隔で切込みが形成された（つまり、折曲しやすいように切込みが形成されている）直線状の折れ線Ｋ１２０が形成され、折れ線Ｋ１２０の下側には、縦長の切欠部Ｋ１２２が形成されている。
【００６５】
また、側面部１３０は、正面部１１０の正面視における左側の端部から折れ線Ｋ１１２を介して連設され、方形状を呈し、ミシン目状の切目線１３２ａとミシン目状の切目線１３２ｂと折れ線１３２ｃとが形成され、側面部１３０の下辺と切目線１３２ａ、１３２ｂと折れ線１３２ｃにより囲まれた領域が片部１３２となる。切目線１２２ａ、１２２ｂ、１３２ａ、１３２ｂが第２切目線に当たる。切目線１２２ａ、１２２ｂ、１３２ａ、１３２ｂは、ミシン目状の切目線としたが、連続して形成された１本の切目線でもよい。
【００６６】
側面部１３０は、外箱部Ａ２の組立て状態において、側面部１２０と前後方向に垂直な仮想的な平面である中心面を介して対称に形成されていて、切目線１３２ａは切目線１２２ａと対称に形成され、切目線１３２ｂは切目線１２２ｂと対称に形成され、折れ線１３２ｃは折れ線１２２ｃと対称に形成されている。
【００６７】
つまり、片部１３２は、下端を外側に引き出すことにより切目線１３２ａ、１３２ｂが破断して折れ線１３２ｃを中心に側面部１３０の他の部分（つまり、側面部１３０における片部１３２以外の部分）に対して回動するようになっている。
【００６８】
なお、正面部１１０と側面部１３０の境界位置には、所定間隔で切込みが形成された（つまり、折曲しやすいように切込みが形成されている）直線状の折れ線Ｋ１１２が形成されている。また、側面部１３０と正面部１１０の間の位置における下側には、縦長の開口部Ｋ１１４が形成されている。
【００６９】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。なお、側面部１３０と背面部１４０とをお互いに折曲げしやすいように、折れ線Ｋ１１６に沿って所定間隔で切込みが形成されている。
【００７０】
また、糊代部１４２は、側面部１２０の右側面視における右端から折れ線（所定間隔で切込みが形成された（つまり、折曲しやすいように切込みが形成されている）折れ線）Ｋ１２４を介して連設され、縦方向に細長の帯状台形形状を呈している。この糊代部１４２は、図２に示すように、その内側の面が背面部１４０の外側の面に接着されている。
【００７１】
また、正面部１１０と側面部１２０、１３０と背面部１４０の縦幅は同一に形成されていて、内箱部Ａ１の縦幅と同一又は若干大きく形成されている。
【００７２】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図８に示すように、上面部１６０〜１９０における隣接した上面部においては、隙間Ｋ１３４、Ｋ１３６、Ｋ１３８が形成されている。なお、蓋部としての上面部１６０〜１９０はスリーブ状部１０５の上端の各辺から連設されているが、少なくとも１つの上面部から連設されていればよい。
【００７３】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００７４】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０（特に、片部１２２）の内側の面の間には接着剤層（図示せず）が設けられていて、同様に、分離部３４の外側の面の全部又は一部の領域と側面部１３０（特に、片部１３２）の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部２４の周囲の切目線２４ａが破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部３４の周囲の切目線３４ａが破れて、分離部３４が内箱部Ａ１から分離し、回動させた片部１３２に接着した状態で片部１３２に従動するように設定されている。
【００７５】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００７６】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１２０に対して略平行になるようにし、かつ、側面部１３０を背面部１４０に対して略平行になるようにすることにより、図９に示すように平板状に折り畳むことができる。
【００７７】
上記構成の包装箱Ａの使用状態について説明する。包装箱Ａを使用しない状況では、上記のように包装箱Ａは平板状に折り畳むことができるので、折り畳んで保管しておく。
【００７８】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００７９】
そして、図１１に示すように、包装箱Ａの上方から複数の被収納物（商品）Ｇを内箱部Ａ１内に収納する。図１１は、箱状の商品である例を示しているが、他の被収納物であってもよい。なお、被収納物の形状は任意であるが、上方に折り返した表示部４４を突出部４２−１、４２−２に係止しやすいようにするために、被収納物を内箱部Ａ１に収納した際に背面部本体４２の上端領域と被収納物との間に隙間が形成されるもの（例えば、レトルトパウチ等のパウチ製品のように柔軟性のあるもの）とするのが好ましい。また、面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の側面部１２０から上面を経て側面部１３０側にまで接着させることにより、図１２に示すように、上面部１６０〜１９０を封止する。
【００８０】
以上のようにして、被収納物を包装箱Ａに包装したら、被収納物Ｇを収納した包装箱Ａを被収納物Ｇを陳列する場所に搬送する。
【００８１】
その後、被収納物を陳列する場合には、外箱部Ａ２を内箱部Ａ１から分離する。すなわち、図１３に示すように、外箱部Ａ２の片部１２２を外側に引き出して切目線１２２ａ、１２２ｂを破断して折れ線１２２ｃを中心に回動させることにより、分離部２４も片部１２２の裏側に接着したまま切目線２４ａが破断されて、分離部２４が本体部２２から分離する。同様に、片部１３２を外側に引き出して切目線１３２ａ、１３２ｂを破断して折れ線１３２ｃを中心に回動させることにより、分離部３４も片部１３２の裏側に接着したまま切目線３４ａが破断されて、分離部３４が本体部３２から分離する。
【００８２】
なお、片部１２２、１３２が回動する際の回動軸となる折れ線１２２ｃ、１３２ｃの箇所には折れ線として罫線を形成しておくのが好ましいが、罫線を形成しておかなくても片部１２２、１３２を回動させることにより自然と折れ線が形成されるが、予め該折れ線の箇所に罫線を形成しておいてもよい。
【００８３】
以上のように、外箱部Ａ２の片部１２２を上側に回動させた際に、同時に分離部２４の周囲の切目線２４ａが破れて、分離部２４が内箱部Ａ１から分離し、回動させた片部１２２に接着した状態で片部１２２に従動し、同様に、外箱部Ａ２の片部１３２を上側に回動させた際に、同時に分離部３４の周囲の切目線３４ａが破れて、分離部３４が内箱部Ａ１から分離し、回動させた片部１３２に接着した状態で片部１３２に従動する。
【００８４】
そして、図１４に示すように、外箱部Ａ２を上方に引き上げることにより、被収納物を収納した状態で、かつ、分離部２４、３４が分離した状態の内箱部Ａ１が残る。なお、外箱部Ａ２には、切欠部Ｋ１２２や開口部Ｋ１１４が設けられているので、外箱部Ａ２を内箱部Ａ１に対して容易に引き上げることができる。外箱部Ａ２を引き上げた後の内箱部Ａ１を斜め後方から視認すると図１５に示すようになる。
【００８５】
その後、背面部４０を組み立てる。すなわち、表示部４４を折れ線Ｃ４４ａ、Ｃ４４ｂを中心にして外側に回動させ、表示部４４を突出部４２−１、４２−２に係止させる。具体的には、表示部４４の内側に手を入れて表示部４４の内側の面を外側に押すことにより切目線Ｋ４４が破断されるので、表示部４４を折れ線Ｃ４４ａ、Ｃ４４ｂを中心にして外側に回動させ、表示部４４の右側面側の辺部（切目線Ｋ４４ｃに沿った縁部）を突出部４２−１に係止させるとともに、表示部４４の左側面側の辺部（切目線Ｋ４４ｇに沿った縁部）を突出部４２−２に係止させる。このように背面部４０を組み立てた状態は、図１６〜図１８に示すようになり、図１７は、背面部４０の状態を分かりやすくするために被収納物を除外して表している。
【００８６】
すると、表示部４４が背面部本体４２の上端から上方に突出するので、背面部本体４２の上方の正面側に広告を表示させることができる。特に、表示部４４は背面本体部４２の上端よりも上方に突出した状態となるので、商品の購買者から表示部４４に表示された広告を視認しやすくすることができ、広告効果をより高めることができる。
【００８７】
本実施例の包装箱Ａによれば、表示部４４の周囲の切目線Ｋ４４を破断して表示部４４を上方に回動させて突出部４２−１、４２−２に係止させるのみで背面部本体の上方に広告表示体を形成することができるので、極めて簡単な操作で内箱部の背面部の上方に広告表示体を形成することができる。
【００８８】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００８９】
また、本実施例の包装箱Ａによれば、片部１２２、１３２を外側に回動させて、分離部２４、３４を内箱部Ａ１から分離して外箱部Ａ２を上方に引き上げるのみで陳列することができるので、陳列作業を容易に行なうことができる。
【００９０】
また、特に、内箱部Ａ１には、表示部４４が設けられ、表示部４４に広告等を表示することによりＰＯＰ広告として使用することができる。
【００９１】
また、背面部４０においては、上記のように、略凹状のブランクに各切込みと折れ線と切欠部を設けることにより形成することができ、容易に背面部本体４２と表示部４４を形成することができる。
【００９２】
なお、上側領域Ｋ４０の領域にも背面部本体４２を形成して、表示部４４が１本の折れ線（第１折れ線）を介して背面部本体４２から連設された構成としてもよい。
【００９３】
また、上記の説明では、片部１２２、１３２は、側面部１２０、１３０の下端領域に設けられ、分離部２４、３４も側面部２０、３０の下端領域に設けられているとしたが、片部１２２、１３２を側面部１２０、１３０の下端領域以外の領域に設けるとともに、分離部２４、３４を側面部２０、３０の下端領域以外の領域に設けてもよい。例えば、側面部２０の辺部２０ａを図示した構成よりも長く形成し、長く形成した辺部２０ａの上側に分離部を切目線を介して連設し、側面部１２０における該分離部に対応する位置に切目線を介して片部１２２を設け、側面部３０、１３０においても、同様に構成するようにしてもよい。
【００９４】
また、上記の説明において、外箱部Ａ２においては、スリーブ状部１０５を構成する正面部１１０と側面部１２０の境界位置に切欠部Ｋ１２２が設けられ、正面部１１０と側面部１３０の境界位置に開口部Ｋ１１４が設けられているとして説明したが、切欠部Ｋ１２２を開口部Ｋ１１４のような開口部としてもよく、また、開口部Ｋ１１４を切欠部Ｋ１２２のような切欠部としてもよい。また、切欠部Ｋ１２２のような切欠部又は開口部Ｋ１１４のような開口部を側面部１２０と背面部１４０の境界位置や側面部１３０と背面部１４０の境界位置に設けるようにしてもよい。
【００９５】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【符号の説明】
【００９６】
Ａ  包装箱
Ａ１  内箱部
Ａ２  外箱部
５、１０５  スリーブ状部
１０、１１０  正面部
２０、３０、１２０、１３０  側面部
２２、３２  本体部
２４、３４  分離部
２４ａ、３４ａ、１２２ａ、１２２ｂ、１３２ａ、１３２ｂ、Ｋ４４  切目線
４０、１４０  背面部
４２  背面部本体
４４  表示部
４９、１４２  糊代部
５０  底面部
６０  第１片部
７０  第２片部
８０  第３片部
９０  第４片部
１６０、１７０、１８０、１９０  上面部
Ｃ４４ａ、Ｃ４４ｂ  折れ線
【図１】
0003175414.tif 000003
【図２】
0003175414.tif 000004
【図３】
0003175414.tif 000005
【図４】
0003175414.tif 000006
【図５】
0003175414.tif 000007
【図６】
0003175414.tif 000008
【図７】
0003175414.tif 000009
【図８】
0003175414.tif 000010
【図９】
0003175414.tif 000011
【図１０】
0003175414.tif 000012
【図１１】
0003175414.tif 000013
【図１２】
0003175414.tif 000014
【図１３】
0003175414.tif 000015
【図１４】
0003175414.tif 000016
【図１５】
0003175414.tif 000017
【図１６】
0003175414.tif 000018
【図１７】
0003175414.tif 000019
【図１８】
0003175414.tif 000020